(57)【要約】【課題】複数の電池を搭載した場合に、表示部における、電池残量の表示領域のサイズを抑え、かつユーザが容易に電池の総残量および電池の状態を確認できる情報処理を提供すること。【解決手段】表示制御部（１２５）は、使用可能な電池が一つである場合の電池残量画像（第１の電池残量画像）と、使用可能な電池が複数である場合の電池残量画像（第２の電池残量画像）とのいずれかを同一サイズで表示部（１３）に表示させる。【選択図】図１
2014056360.tif 000002
【特許請求の範囲】
【請求項１】
複数の電池を搭載可能で、少なくとも一つの電池の電池残量を示す電池残量画像を表示部に表示する情報処理装置であって、
上記電池残量画像を上記表示部に表示させる表示制御手段と、
上記複数の電池それぞれの残量を数値化した残量値が、予め定められた閾値を超えるか否かを判定する電池残量判定手段とを備え、
上記表示制御手段は、
上記電池残量判定手段が上記閾値を超えると判定した電池が一つである場合、当該電池のみの電池残量を第１の電池残量画像として上記表示部に表示させ、
上記電池残量判定手段が上記閾値を超えると判定した電池が複数ある場合、当該複数の電池の電池残量を第２の電池残量画像として上記表示部に表示させ、
上記第２の電池残量画像は、使用中の電池の残量を表示する第１の領域と、当該第１の領域に少なくとも一部が重なり、上記複数の電池の総残量を表示する第２の領域とからなることを特徴とする情報処理装置。
【請求項２】
上記電池残量画像は、上記第１の領域が、当該第１の領域内に上記第２の領域の全てを含む画像であることを特徴とする請求項１に記載の情報処理装置。
【請求項３】
上記複数の電池それぞれの電池電圧を検出し、検出した上記電池電圧から、上記残量を数値化した残量値を算出する電池残量検出手段をさらに備えることを特徴とする請求項１または２に記載の情報処理装置。
【請求項４】
上記電池残量画像が上記第２の電池残量画像に決定されたとき、上記電池残量検出手段によって検出された上記複数の電池の電池電圧を積算し、複数の電池の残量の合計値である総残量値を算出する電池残量積算手段をさらに備えることを特徴とする請求項３に記載の情報処理装置。
【請求項５】
当該情報処理装置に電源を供給している電池を、上記複数の電池から特定する使用電池特定手段をさらに備えることを特徴とする請求項４に記載の情報処理装置。
【請求項６】
上記電池残量検出手段によって算出された上記残量値、および、上記使用電池特定手段によって特定された上記使用中の電池の情報に応じて、上記第１の電池残量画像を決定する電池残量画像決定手段をさらに備えることを特徴とする請求項５に記載の情報処理装置。
【請求項７】
上記電池残量画像決定手段は、上記電池残量検出手段によって算出された上記残量値、上記使用電池特定手段によって特定された上記使用中の電池の情報、および上記電池残量積算手段によって算出された総残量値に応じて、上記第２の電池残量画像を決定することを特徴とする請求項６に記載の情報処理装置。
【請求項８】
複数の電池を搭載可能で、少なくとも一つの電池の電池残量を示す電池残量画像を表示部に表示する情報処理装置の制御方法であって、
上記電池残量画像を上記表示部に表示させる表示制御ステップと、
上記複数の電池それぞれの残量を数値化した残量値が、予め定められた閾値を超えるか否かを判定する電池残量判定ステップとを備え、
上記表示制御ステップでは、
上記電池残量判定ステップにて上記閾値を超えると判定された電池が一つである場合、当該電池のみの電池残量を第１の電池残量画像として上記表示部に表示させ、
上記電池残量判定ステップにて上記閾値を超えると判定された電池が複数ある場合、当該複数の電池の電池残量を第２の電池残量画像として上記表示部に表示させ、
上記第２の電池残量画像は、使用中の電池の残量を表示する第１の領域と、当該第１の領域に少なくとも一部が重なり、上記複数の電池の総残量を表示する第２の領域とからなることを特徴とする情報処理装置の制御方法。
【請求項９】
請求項１〜７のいずれか１項に記載の情報処理装置が備えるコンピュータを動作させるための制御プログラムであって、上記コンピュータを上記の各手段として機能させるための制御プログラム。
【請求項１０】
請求項９に記載のプログラムを記録したコンピュータ読み取り可能な記録媒体。
【発明の詳細な説明】
【技術分野】
【０００１】
本発明は複数の電池を搭載可能で、各電池の残量を示す電池残量画像を表示部に表示することが可能な情報処理装置などに関するものである。
【背景技術】
【０００２】
従来、携帯電話やスマートフォンなどの携帯型の情報処理装置における使用時間の長時間化、および使用用途の多様化などから、電源としてのバッテリの大容量化が求められている。これに対して、近年、主電池と予備の副電池とを備えることで、上記課題の解決を目指す技術が開示されている。
【０００３】
例えば、特許文献１には、端末内部に複数の電池を搭載し、電源供給状態のまま、電池を交換できる電池駆動機器が開示されている。
【０００４】
また、特許文献２には、動作中や携帯無線電話機の通話中に電池交換を可能とするとともに、電池のメモリー現象を抑える電源制御装置が開示されている。
【先行技術文献】
【特許文献】
【０００５】
【特許文献１】特開平９−３２９６５３号公報（１９９７年１２月２２日公開）
【特許文献２】特開２０００−３２１００号公報（２０００年１月２８日公開）
【発明の概要】
【発明が解決しようとする課題】
【０００６】
電池の搭載された情報処理装置では、図９の（ａ）に示すように、表示部３０に電池残量画像３０１を表示して、ユーザに電池の残量を報知することが多い。一般的に、電池残量画像３０１としては、図１０の（ａ）に示すような、矩形の本数で電池残量を表すもの、あるいは、図１０の（ｂ）のような、パーセント表示で電池残量を表すものがよく用いられる。一方、情報処理装置に複数の電池を搭載する場合、報知する電池の残量は、電池全体の総残量であることが望ましい。特許文献１および２では、例えば電池が２個である場合、図９の（ｂ）に示すように、搭載された各電池について、それぞれ電池残量画像３０１ａ、３０１ｂを作成し、表示部３０に表示している。
【０００７】
しかしながら、搭載された電池が複数個の場合、図９の（ｂ）に示すように、表示部３０には、各電池についてそれぞれ電池残量画像３０１ａ、３０１ｂが表示されるので、搭載された電池が１つの場合、すなわち図９の（ａ）に示すように、表示部３０に、電池残量画像３０１が１つだけ表示されている場合に比べて、表示部３０における電池の残量表示に使用される領域（以下、残量表示領域）のサイズが大きくなってしまうという課題があった。
【０００８】
特に、携帯情報端末などの情報処理装置においては、利便性の追求のために小型化が要求されており、表示部の大きさも限定されるため、残量表示領域のサイズは抑えられなければならない。よって、上記課題は特に深刻である。この課題の解決策として、電池残量画像を小さくする方法が考えられるが、電池残量画像を小さくしてしまうと、視認性が悪くなってしまうため、ユーザの快適な利用が損なわれる。
【０００９】
本発明は、上記の課題に鑑みてなされたものであって、その目的は、複数の電池を搭載した場合の、電池残量の表示領域のサイズを抑え、かつユーザが容易に電池の総残量の表示および電池の状態を確認することができる情報処理装置などを実現することにある。
【課題を解決するための手段】
【００１０】
上記の課題を解決するために、本発明の一態様に係る情報処理装置は、複数の電池を搭載可能で、少なくとも一つの電池の電池残量を示す電池残量画像を表示部に表示する情報処理装置であって、上記電池残量画像を上記表示部に表示させる表示制御手段と、上記複数の電池それぞれの残量を数値化した残量値が、予め定められた閾値を超えるか否かを判定する電池残量判定手段とを備え、上記表示制御手段は、上記電池残量判定手段が上記閾値を超えると判定した電池が一つである場合、当該電池のみの電池残量を第１の電池残量画像として上記表示部に表示させ、上記電池残量判定手段が上記閾値を超えると判定した電池が複数ある場合、当該複数の電池の電池残量を第２の電池残量画像として上記表示部に表示させ、上記第２の電池残量画像は、使用中の電池の残量を表示する第１の領域と、当該第１の領域に少なくとも一部が重なり、上記複数の電池の総残量を表示する第２の領域とからなる。
【００１１】
また、本発明の一態様に係る情報処理装置の制御方法は、複数の電池を搭載可能で、少なくとも一つの電池の電池残量を示す電池残量画像を表示部に表示する情報処理装置の制御方法であって、上記電池残量画像を上記表示部に表示させる表示制御ステップと、上記複数の電池それぞれの残量を数値化した残量値が、予め定められた閾値を超えるか否かを判定する電池残量判定ステップとを備え、上記表示制御ステップでは、上記電池残量判定ステップにて上記閾値を超えると判定された電池が一つである場合、当該電池のみの電池残量を第１の電池残量画像として上記表示部に表示させ、上記電池残量判定ステップにて上記閾値を超えると判定された電池が複数ある場合、当該複数の電池の電池残量を第２の電池残量画像として上記表示部に表示させ、上記第２の電池残量画像は、使用中の電池の残量を表示する第１の領域と、当該第１の領域に少なくとも一部が重なり、上記複数の電池の総残量を表示する第２の領域とからなる。
【発明の効果】
【００１２】
本発明の一態様によれば、複数の電池を搭載した場合の情報処理装置において、使用可能な電池が一つである場合の電池残量画像（第１の電池残量画像）と、使用可能な電池が複数である場合の電池残量画像（第２の電池残量画像）とのいずれかが表示部に表示されることになり、しかも、第２の電池残量画像の表示領域のサイズを抑えることができるので、表示部における、電池残量の表示領域のサイズを抑え、かつユーザが容易に電池の総残量の表示および電池の状態を確認することができるという効果を奏する。
【図面の簡単な説明】
【００１３】
【図１】本発明の一実施形態に係る携帯電話の要部構成を示すブロック図である。
【図２】上記携帯電話の表示部に表示される電池残量画像の一例を示す模式図である。
【図３】上記電池残量画像の変化の一例を示す模式図である。
【図４】上記電池残量画像の変化の別の一例を示す模式図である。
【図５】上記携帯電話が備える対応情報のデータ構造およびデータ例を示す模式図である。
【図６】使用中電池を識別できる上記電池残量画像の一例を示す模式図である。
【図７】使用中電池を識別できる上記電池残量画像の別の一例を示す模式図である。
【図８】上記携帯電話における処理の流れの一例を示すフローチャートである。
【図９】従来の情報処理装置の表示部に表示される画像の一例を示す模式図である。
【図１０】従来の情報処理装置の表示部に表示される電池残量画像の一例を示す模式図である。
【発明を実施するための形態】
【００１４】
本発明の一実施形態について、図１〜図８に基づいて説明すれば以下の通りである。
【００１５】
本発明に係る情報処理装置として、携帯電話を例に挙げて説明する。なお、本発明は、上記携帯電話の他、スマートフォンやタブレット端末などの、電源としてバッテリを備える情報処理装置に適用することが可能である。また、図面における長さ、大きさ、および幅などの寸法関係ならびに形状は、図面の明瞭化と簡略化のために適宜に変更されており、実際の寸法および形状を表してはいない。
【００１６】
〔携帯電話の概要〕
図１は、本実施形態に係る携帯電話１の要部構成を示すブロック図である。
【００１７】
上記携帯電話１は、複数の電池を搭載可能で、少なくとも一つの電池の電池残量を示す電池残量画像を表示する情報処理装置であって、上記電池残量画像を表示部１３に表示させる表示制御部１２５と、上記複数の電池それぞれの残量を数値化した残量値が、予め定められた閾値を超えるか否かを判定する電池残量判定部１２３とを備え、上記表示制御部１２５は、上記電池残量判定部１２３が上記閾値を超えると判定した電池が一つである場合、当該電池のみの電池残量を第１の電池残量画像として上記表示部１３に表示させ、上記電池残量判定部１２３が上記閾値を超えると判定した電池が複数ある場合、当該複数の電池の電池残量を第２の電池残量画像として上記表示部１３に表示させ、上記第２の電池残量画像は、使用中の電池の残量を表示する使用中電池残量領域と、使用中電池残量領域に少なくとも一部が重なり、上記複数の電池の総残量を表示する総残量領域とからなることを主な特徴とする情報処理装置である。
【００１８】
なお、本実施形態では、説明の便宜上、複数の電池として２個の電池を搭載した携帯電話１について説明する。しかしながら、搭載可能な電池の個数を２個に限定する意図はない。
【００１９】
上記携帯電話１の構成の詳細を説明する前に、本携帯電話１の特徴的な電池残量画像例について、図２〜４を参照しながら、説明する。
【００２０】
図２は、電池残量画像の一例を示す模式図である。この例は、第２の電池残量画像を示しており、図２に示す電池残量画像２０１は、総残量領域（第１の領域）２０１１、および、使用中電池残量領域（第２の領域）２０１２を含む。総残量領域２０１１は、携帯電話１に搭載されている２個の電池における残量の合計（以下、総残量）を表示している。また、使用中電池残量領域２０１２は、２個の電池のうち、現時点で携帯電話１に電源を供給している電池（以下、使用中電池）の残量を表示している。
【００２１】
なお、図２では、使用中電池残量領域２０１２の内側に、総残量領域２０１１が配置されている。すなわち、一般的に使用される電池残量画像の、残量を表示する領域は、本実施形態に係る電池残量画像２０１においては、総残量領域２０１１である。電池残量画像２０１をこの構成に限定する意図はないが、携帯電話１が、使用中電池の切り替えを自動的に行う構成であった場合、ユーザが電池の残量を直感的に理解しやすいため、上記構成とすることが好ましい。
【００２２】
また、本実施形態における電池残量画像２０１は、矩形の本数で電池残量を表すものであるが、この形式に限定する意図はなく、例えば、パーセント表示で電池残量を表すものなどでもよい。
【００２３】
図３および図４は、電池残量画像の変化の一例を示す模式図である。この例では、総残量のパーセンテージと電池残量画像２０１とが対応付けられている。図３に示すように、総残量領域２０１１は、３つの矩形で構成されており、総残量のパーセンテージが減少するにしたがって、矩形の個数が図３の（ａ）〜図３の（ｃ）に示すように減少していく。図３の（ｃ）に示す状態から、更に総残量が少なくなった場合、図３の（ｄ）に示すように、矩形の色を変化させてもよい。
【００２４】
また、図４の（ａ）に示す例では、使用中電池残量領域２０１２は、使用中電池残量のパーセンテージが減少するにしたがって、色が変化していく。一方、図４の（ｂ）に示す例のように、使用中電池残量領域２０１２の面積が減少していく形式でもよい。
【００２５】
なお、図３および図４に示す電池残量画像の変化は一例であって、これらの形式に限定する意図はない。
【００２６】
一方、第１の電池残量画像は、閾値を超えると判定された電池が１つのみ、すなわち、使用可能な電池が１つのみであるので、従来のように、使用中電池の残量のみを表示すればよい。
【００２７】
このように、携帯電話１によれば、複数の電池の残量が閾値を超えたときに表示される第２の電池残量画像は、使用中電池の残量を表示する使用中電池残量領域２０１２と、複数の電池の総残量を表示する総残量領域２０１１とからなるので、ユーザは、使用中電池の残量と、搭載している電池の総残量とを同時に確認することができる。
【００２８】
しかも、上記総残量領域２０１１は、上記使用中電池残量領域２０１２に全て含まれるように表示されているため、２個の電池残量を独立した表示領域にそれぞれ表示する場合に比べて、電池残量の表示サイズを小さくすることができる。
【００２９】
なお、上記総残量領域２０１１は、上記使用中電池残量領域２０１２に全て含まれる必要はなく、これら領域は少なくとも一部が重なっていてもそれぞれの領域に表示される内容は認識することができる。従って、この場合においても表示部に表示される電池残量画像は、使用中電池の残量を示す画像と、複数の電池の総残量を示す画像とを互いに重ならない領域にそれぞれ独立して表示した場合よりも、使用中電池残量領域２０１２と総残量領域２０１１との重なり部分のサイズだけ小さくすることができるので、２個の電池残量を独立した表示領域にそれぞれ表示する場合に比べて、電池残量の表示サイズを小さくすることができる。
【００３０】
また、１つの電池の残量のみが閾値を超えたときに表示される第１の電池残量画像は、使用中電池の残量のみを表示するので、ユーザにとって電池の残量を認識しやすい画像となっている。さらに、全ての電池が使用可能である場合に表示される画像と異なる画像であるため、ユーザは容易に１つの電池が使用不可能となっていることを認識することができる。
【００３１】
これにより、表示部における、電池残量の表示領域のサイズを抑え、かつユーザが容易に総残量の表示および電池の状態を確認することができるという効果を奏する。
【００３２】
〔携帯電話の構成〕
次に、図１を参照して、携帯電話１の要部構成について説明する。図１に示すように、携帯電話１は、少なくとも、電源部１１、制御部１２、表示部１３、および、記憶部１４を備える構成である。さらに、携帯電話１は、図示しないが、入力部、通信部、音声入力部、音声出力部、放送受像部、ＧＰＳ（Global Positioning System）など、携帯電話が標準的に備えている各種部品を備えていてもよい。
【００３３】
電源部１１は、電池を格納し、携帯電話１に電源を供給するデバイスである。本実施形態では、上述したように、複数の電池１１１ａおよび電池１１１ｂを格納できる構成であり、格納された電池１１１ａおよび電池１１１ｂのうちの１つから、携帯電話１に電源を供給する。
【００３４】
次に、表示部１３は、携帯電話１が処理する情報を表示する表示デバイスである。例えば、表示部１３には、後述する表示制御部１２５などによって処理された情報が表示される。表示部１３は、例えば、ＬＣＤ（液晶ディスプレイ）などの表示装置で構成される。
【００３５】
次に、記憶部１４は、（１）携帯電話１の制御部１２が実行する制御プログラム、（２）制御部１２が実行するＯＳ（Operating System）プログラム、（３）制御部１２が、情報処理装置が有する各種機能を実行するためのアプリケーションプログラム、（４）該アプリケーションプログラムを実行するときに読み出す各種データを非一時的に記憶するものである。例えば、上記（１）〜（４）のデータは、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）などの記憶装置に記憶される。
【００３６】
記憶部１４は、特に、電池残量画像記憶部１４１を含んでいる。電池残量画像記憶部１４１は、各電池において、残量のパーセンテージと電池残量画像２０１とを対応付けた対応情報を記憶するものである。電池残量画像記憶部１４１のデータ構造およびデータ例については後述する。
【００３７】
なお、携帯電話１は、図示しない一時記憶部を備えていてもよい。一時記憶部は、携帯電話１が実行する各種処理の過程で、演算に使用するデータおよび演算結果などを一時的に記憶するいわゆるワーキングメモリであり、ＲＡＭ（Random Access Memory）などの記憶装置で構成される。
【００３８】
また、どのデータをどの記憶装置に記憶するのかについては、情報処理装置の使用目的、利便性、コスト、物理的な制約などから適宜決定される。
【００３９】
次に、制御部１２は、携帯電話１が備える各部を統括制御するものである。制御部１２は、少なくとも、電池残量判定部１２３、表示形式決定部１２４、および、表示制御部１２５を含んでいる。さらに、図示のとおり、電池残量検出部１２１、および、使用電池特定部１２２を含んでいることが好ましい。
【００４０】
上述した制御部１２の各機能ブロックは、例えば、ＣＰＵ（central processing unit）が、ＲＯＭ（read only memory）、ＮＶＲＡＭ（non-Volatile random access memory）等で実現された記憶装置（記憶部１４）に記憶されているプログラムを不図示のＲＡＭ（random access memory）等に読み出して実行することで実現できる。
【００４１】
電池残量検出部（電池残量検出手段）１２１は、電源部１１に格納されている電池１１１ａ、および電池１１１ｂの電池電圧を検出し、電池の残量を数値（以下、残量値）として算出するものである。電池残量検出部１２１は、検出した電池１１１ａ、および電池１１１ｂの残量値を、後述する電池残量判定部１２３に供給する。
【００４２】
次に、使用電池特定部（使用電池特定手段）１２２は、電源部１１に格納されている電池１１１ａ、および電池１１１ｂのうち、どちらが使用中電池であるかを特定するものである。使用電池特定部１２２は、使用中電池の特定情報を、後述する表示形式決定部１２４に供給する。
【００４３】
次に、電池残量判定部（電池残量判定手段）１２３は、電池１１１ａ、および電池１１１ｂの残量値を判定するものである。具体的には、電池残量判定部１２３は、まず、電池残量検出部１２１から供給された、電池１１１ａ、および電池１１１ｂの残量値それぞれについて、閾値を超えるか否かを判定する。その後、閾値を超えた電池が複数あるか否かを判定し、後述する表示形式決定部１２４に判定結果を供給する。
【００４４】
閾値は、適宜設定してもよいが、電池の残量値において、携帯電話１に電源を供給可能な、最低値に設定することが好ましい。これにより、当該電池が使用可能か否かを判定することができる。
【００４５】
表示形式決定部（電池残量画像決定手段）１２４は、携帯電話１の表示部１３に表示する電池残量画像２０１を決定するものである。具体的には、表示形式決定部１２４は、電池残量判定部１２３から判定結果を受け取り、閾値を超えた電池が複数ある場合は、総残量および使用中電池の残量を示した電池残量画像２０１（第２の電池残量画像）を表示する複数電池表示に表示形式を決定する。一方、閾値を超えた電池が１つしかない場合は、使用中電池のみの残量を示した電池残量画像２０１（第１の電池残量画像）を表示する単電池表示に表示形式を決定する。
【００４６】
なお、複数電池表示の電池残量画像２０１と単電池表示の電池残量画像２０１とは、ユーザがそれぞれを識別できるように、異なる画像を用いる必要がある。
【００４７】
また、表示形式決定部１２４は、電池残量検出部１２１から供給された電池１１１ａおよび電池１１１ｂの残量値と、使用電池特定部１２２から供給された使用中電池の特定情報とから、使用中電池の残量値を決定する。
【００４８】
さらに、表示形式決定部１２４は、電池残量積算部（電池残量積算手段）１２４１を含む。電池残量積算部１２４１は、表示形式決定部１２４が複数電池表示を行うよう決定した場合、電池残量検出部１２１が検出した、電池１１１ａ、および電池１１１ｂの電池電圧を積算し、電池１１１ａ、および１１１ｂの残量値の合計（以下、総残量値）を算出する。
【００４９】
そして、表示形式決定部１２４は、決定した表示形式、および、使用中電池の残量値、さらに、決定した表示形式が複数電池表示の場合は、電池残量積算部１２４１が算出した、総残量値といった各情報を、後述する表示制御部１２５に供給する。
【００５０】
最後に、表示制御部（表示制御手段）１２５は、表示部１３に各種の画像を表示させるものである。具体的には、表示制御部１２５は、表示形式決定部１２４から供給された情報に基づいて、電池残量画像記憶部１４１から適切な電池残量画像２０１を読み出し、表示部１３に表示させる。
【００５１】
具体的には、上記表示制御部１２５は、上記電池残量判定部１２３が上記閾値を超えると判定した電池が一つである場合、当該電池のみの電池残量を第１の電池残量画像として上記表示部１３に表示させ、上記電池残量判定部１２３が上記閾値を超えると判定した電池が複数ある場合、当該複数の電池の電池残量を第２の電池残量画像として上記表示部１３に表示させる。
【００５２】
これにより、使用可能な電池が一つである場合の電池残量画像（第１の電池残量画像）と、使用可能な電池が複数である場合の電池残量画像（第２の電池残量画像）とのいずれかが表示部１３に表示されることになるので、ユーザは、使用可能な電池が一つであるか、複数であるかを一目で確認することができる。
【００５３】
しかも、第２の電池残量画像は、使用中の電池の残量を表示する第１の領域と、当該第１の領域に、複数の電池の総残量を表示する第２の領域が含まれているため、第１の電池残量画像の表示領域とほぼ同じサイズの表示領域に表示させることが可能となる。
【００５４】
〔電池残量画像記憶部の構成〕
次に、図５を参照して、電池残量画像記憶部１４１のデータ構造およびデータ例について説明する。図５は、電池残量画像記憶部１４１のデータ構造およびデータ例を示す模式図である。なお、図５に示すデータ構造は一例であって、データ構造を表形式に限定する意図はない。
【００５５】
ここで、図５の（ａ）は、複数電池表示の場合に表示制御部１２５が参照する表の一例であり、図５の（ｂ）は、単電池表示の場合に表示制御部１２５が参照する表の一例である。なお、これら表の組み合わせは、電池毎に存在する。例えば、図５は、使用中電池が電池１１１ａに特定された場合に、表示制御部１２５が参照する表の一例である。
【００５６】
図５の（ａ）において、「電池総残量」のカラムには、電池１１１ａ、および電池１１１ｂの残量の積算値範囲を示す情報が格納される。なお、図５の（ｂ）では、積算値範囲として「６０−１００％」、および「３０−６０％」という情報が格納されているが、これは一例であって、積算値範囲がこれに限定されるものではない。
【００５７】
また、図５の（ａ）および図５の（ｂ）において、「電池残量」のカラムには、当該電池、例えば、図５では電池１１１ａの残量値範囲を示す情報が格納される。なお、上記「電池総残量」のカラムと同様、「電池残量」のカラムに格納されている情報は、図５に示す範囲に限定されるものではない。
【００５８】
さらに、図５の（ａ）および図５の（ｂ）において、「電池残量画像」のカラムには、電池残量画像２０１の画像が格納される。例えば、電池総残量「６０−１００％」、電池残量「２０−１００％」には、電池残量画像２０１ａが対応付けられている。この場合、電池残量検出部１２１が算出した電池１１１ａの残量値が２０〜１００％の範囲内にあり、かつ電池残量積算部１２４１が算出した電池１１１ａの残量値と電池１１１ｂの残量値との合計が、６０〜１００％の範囲内であれば、表示制御部１２５は、電池残量画像２０１ａを読み出す。
【００５９】
〔電池の区別〕
使用中電池が電池１１１ａの場合と電池１１１ｂの場合とで、電池残量画像２０１は異なる画像を使用することが望ましい。異なる画像を使用することで、ユーザは、使用中電池を容易に特定することができ、充電あるいは電池交換の目安にすることができる。
【００６０】
図６は、単電池表示の場合の、使用中電池を識別できる電池残量画像の一例を示す模式図である。単電池表示は、使用中電池の残量が表示されればよいので、図１０の（ａ）および図１０の（ｂ）に示すような、一般的な電池残量画像３０１に基づいた、電池残量画像２０１を用いればよい。ここで、使用中電池が電池１１１ａの場合の電池残量画像２０１を図６の（ａ）とする。このとき、使用中電池が電池１１１ｂの場合の電池残量画像２０１として、例えば、矩形の色が異なる図６の（ｂ）、矩形以外の形状を使用する図６の（ｃ）、および矩形の模様が異なる図６の（ｄ）などが挙げられる。また、図６の（ｅ）と図６の（ｆ）のように、電池残量画像２０１内に異なる文字を表示させて区別してもよい。
【００６１】
また、図７は、複数電池表示の場合の、使用中電池を識別できる電池残量画像の一例を示す模式図である。複数電池表示の場合、使用中電池残量領域２０１２を変化させることで、電池１１１ａおよび電池１１１ｂを区別することができる。ここで、使用中電池が電池１１１ａの場合の電池残量画像２０１を図７の（ａ）とする。このとき、使用中電池が電池１１１ｂの場合の電池残量画像２０１として、例えば、使用中電池残量領域２０１２の色が異なる図７の（ｂ）、形状が異なる図７の（ｃ）、および、模様が異なる図７の（ｄ）などが挙げられる。また、図７の（ｅ）と図７の（ｆ）のように、使用中電池残量領域２０１２内に異なる文字を表示させて区別してもよい。
【００６２】
さらに、総残量領域２０１１を変化させることで、使用中電池を示してもよい。例えば、使用中電池が、電池１１１ａの場合と、電池１１１ｂの場合とで、総残量領域２０１１の色や形状を変えることで、使用中電池を示してもよい。
【００６３】
なお、本願では、上述のように、表示制御部１２５によって、使用可能な電池が一つである場合の電池残量画像（第１の電池残量画像）と、使用可能な電池が複数である場合の電池残量画像（第２の電池残量画像）とのいずれかが表示部１３に表示されるように制御されている。この場合、表示制御部１２５は、第２の電池残量画像として、図２〜５、および図７で説明したような電池残量画像を上記表示部１３に表示させ、第１の電池残量画像として、図６、あるいは図９の（ａ）に示すような電池一つの電池残量画像を上記表示部１３に表示させる。
【００６４】
〔電池残量画像決定処理の流れ〕
続いて、携帯電話１における電池残量画像決定処理の流れの一例について、図８を参照して説明する。図８は、携帯電話１における処理の流れの一例を示すフローチャートである。
【００６５】
まず、各電池の残量を検出する（Ｓ１０１）。ここでは、電池残量検出部１２１が、電源部１１に格納されている電池１１１ａ、および電池１１１ｂの電池電圧から、残量値を検出する。
【００６６】
続いて、閾値を超える残量を有する電池が複数あるか否かを判定する（Ｓ１０３）。ここでは、電池残量判定部１２３が、電池１１１ａ、および電池１１１ｂの残量値それぞれについて、閾値を超えるか否かを判定し、さらに、閾値を超えた電池が複数あるか否かを判定する。
【００６７】
閾値を超えた電池が複数ある場合（Ｓ１０３にてＹＥＳ）、各電池の残量を積算する（Ｓ１０５）。ここでは、表示形式決定部１２４は、表示形式を複数電池表示に決定し、電池残量積算部１２４１が、電池１１１ａ、および電池１１１ｂの電池電圧を積算し、総残量値を算出する。
【００６８】
続いて、使用中電池を特定する（Ｓ１０７）。ここでは、使用電池特定部１２２が、電池１１１ａ、および電池１１１ｂのうち、どちらが使用中電池であるかを特定する。
【００６９】
一方、閾値を超えた電池が１つだけの場合（Ｓ１０３でＮＯ）、使用中電池を特定する（Ｓ１０７）。なお、使用中電池を特定する処理は、表示画像を決定するまでに行われればよく、例えば、各電池の残量を検出する処理（Ｓ１０１）の前に行われてもよい。
【００７０】
続いて、表示画像を決定する（Ｓ１０９）。ここでは、表示制御部１２５は、表示形式決定部１２４から供給された、決定した表示形式、および、使用中電池の残量値、さらに、決定した表示形式が複数電池表示の場合は、電池残量積算部１２４１が算出した、総残量値といった各情報に基づいて、電池残量画像記憶部１４１から適切な電池残量画像２０１を読み出す。
【００７１】
具体的には、決定した表示形式が複数電池表示の場合には、第２の電池残量画像として、図２等に示す電池残量画像を電池残量画像記憶部１４１から読み出し、決定した表示形式が一つの電池表示の場合には、第１の電池残量画像として、図６、あるいは図９の（ａ）に示す電池残量画像を電池残量画像記憶部１４１から読み出す。
【００７２】
最後に、表示画像を表示させる（Ｓ１１１）。ここでは、表示制御部１２５は、読み出した電池残量画像２０１を、表示部１３に表示させる。
【００７３】
〔まとめ〕
以上より、本発明の一態様に係る情報処理装置（携帯電話１）は、複数の電池（１１１ａ、１１１ｂ）を搭載可能で、少なくとも一つの電池の電池残量を示す電池残量画像（２０１）を表示部（１３）に表示する情報処理装置であって、上記電池残量画像を上記表示部に表示させる表示制御手段（表示制御部１２５）と、上記複数の電池それぞれの残量を数値化した残量値が、予め定められた閾値を超えるか否かを判定する電池残量判定手段（電池残量判定部１２３）とを備え、上記表示制御手段は、上記電池残量判定手段が上記閾値を超えると判定した電池が一つである場合、当該電池のみの電池残量を第１の電池残量画像として上記表示部に表示させ、上記電池残量判定手段が上記閾値を超えると判定した電池が複数ある場合、当該複数の電池の電池残量を第２の電池残量画像として上記表示部に表示させ、上記第２の電池残量画像は、使用中の電池の残量を表示する第１の領域（使用中電池残量領域２０１２）と、当該第１の領域に少なくとも一部が重なり、上記複数の電池の総残量を表示する第２の領域（総残量領域２０１１）とからなる。
【００７４】
また、本発明の一態様に係る情報処理装置の制御方法は、複数の電池を搭載可能で、少なくとも一つの電池の電池残量を示す電池残量画像を表示部に表示する情報処理装置の制御方法であって、上記電池残量画像を上記表示部に表示させる表示制御ステップ（Ｓ１１１）と、上記複数の電池それぞれの残量を数値化した残量値が、予め定められた閾値を超えるか否かを判定する電池残量判定ステップ（Ｓ１０３）とを備え、上記表示制御ステップでは、上記電池残量判定ステップにて上記閾値を超えると判定された電池が一つである場合、当該電池のみの電池残量を第１の電池残量画像として上記表示部に表示させ、上記電池残量判定ステップにて上記閾値を超えると判定された電池が複数ある場合、当該複数の電池の電池残量を第２の電池残量画像として上記表示部に表示させ、上記第２の電池残量画像は、使用中の電池の残量を表示する第１の領域と、当該第１の領域に少なくとも一部が重なり、上記複数の電池の総残量を表示する第２の領域とからなる。
【００７５】
上記構成によれば、まず、複数の電池それぞれの残量を数値化した残量値が、予め定められている閾値を超えるか否かを判定する。ここで、１つの電池に対してのみ、閾値を超えると判定された場合、表示部に表示される画像を第１の電池残量画像に決定する。一方、複数の電池に対して閾値を超えると判定された場合、表示部に表示される画像を第２の電池残量画像に決定する。
【００７６】
これにより、使用可能な電池が一つである場合の電池残量画像（第１の電池残量画像）と、使用可能な電池が複数である場合の電池残量画像（第２の電池残量画像）とのいずれかが表示部１３に表示されることになるので、ユーザは、使用可能な電池が一つであるか、複数であるかを一目で確認することができる。
【００７７】
また、第２の電池残量画像は、使用中の電池の残量を表示する第１の領域と、当該第１の領域に少なくとも一部が重なり、複数の電池の総残量を表示する第２の領域とからなる。
【００７８】
したがって、１つの電池に対してのみ閾値を超えると判定された場合、すなわち、残量が十分にある電池が１つのみの場合と、複数の電池に対して閾値を超えると判定された場合、すなわち、複数の電池に残量が十分にある場合とで表示される電池残量画像が変更される。そのため、ユーザは電池残量画像を確認するだけで、使用不可能な電池の有無を判断することができる。
【００７９】
また、ユーザは１つの電池残量画像で、現在使用中の電池の残量、および、現在使用中の電池の残量を含めた電池全体の総残量を確認することができる。
【００８０】
上記の構成によれば、第２の電池残量画像は、使用中の電池の残量を表示する第１の領域と、複数の電池の総残量を表示する第２の領域とからなるので、ユーザは、使用中の電池の残量と、搭載している電池の残量とを同時に確認することができる。
【００８１】
しかも、上記第２の領域は、上記第１の領域に少なくとも一部が重なっているため、表示部に表示される電池残量画像は、使用中の電池の残量を示す画像と、複数の電池の総残量を示す画像とを互いに重ならない領域にそれぞれ独立して表示した場合よりも、第１の領域と第２の領域との重なり部分のサイズだけ小さくすることができる。
【００８２】
これにより、表示部における、電池残量の表示領域のサイズを抑え、かつユーザが容易に残量の表示を確認することができるという効果を奏する。
【００８３】
よって、電池残量の表示領域のサイズを抑え、ユーザが容易に残量の表示を確認することができる。
【００８４】
さらに、本発明の一態様に係る情報処理装置は、上記電池残量画像は、上記第１の領域が、当該第１の領域内に上記第２の領域の全てを含む画像であってもよい。
【００８５】
上記構成によれば、第１の領域内に、第２の領域の全てが含まれる。
【００８６】
これにより、電池残量画像は、よりサイズを小さくすることができる。よって、表示部における、電池残量の表示領域のサイズをさらに抑えることができる。
【００８７】
本発明の一態様に係る情報処理装置は、上記複数の電池それぞれの電池電圧を検出し、検出した上記電池電圧から、上記残量を数値化した残量値を算出する電池残量検出手段（電池残量検出部１２１）をさらに備えてもよい。
【００８８】
上記構成によれば、複数の電池それぞれにおいて、電池電圧を検出し、検出した電池電圧から、残量を数値化した残量値を算出する。
【００８９】
これにより、電池の残量を数値として得ることができるので、ユーザによる電池残量の把握を容易にする。
【００９０】
本発明の一態様に係る情報処理装置は、上記電池残量画像が上記第２の電池残量画像に決定されたとき、上記電池残量検出手段によって検出された上記複数の電池の電池電圧を積算し、複数の電池の残量の合計値である総残量値を算出する電池残量積算手段（電池残量積算部１２４１）をさらに備えてもよい。
【００９１】
上記構成によれば、電池残量画像を第２の電池残量画像に決定したとき、検出された複数の電池の電池電圧を積算し、複数の電池の残量の合計値である総残量値を算出することで、電池全体の残量を数値として得ることができる。
【００９２】
本発明の一態様に係る情報処理装置は、当該情報処理装置に電源を供給している電池を、上記複数の電池から特定する使用電池特定手段（使用電池特定部１２２）をさらに備えてもよい。
【００９３】
上記構成によれば、上記複数の電池から、情報処理装置に電源を供給している電池を特定することで、現時点で情報処理装置に電源を供給している電池の情報を得ることができる。
【００９４】
本発明の一態様に係る情報処理装置は、上記電池残量検出手段によって算出された上記残量値、および、上記使用電池特定手段によって特定された上記使用中の電池の情報に応じて、上記第１の電池残量画像を決定する電池残量画像決定手段をさらに備えてもよい。
【００９５】
上記構成によれば、電池残量検出手段によって算出された残量値、および、使用電池特定手段によって特定された使用中の電池の情報に応じて、第１の電池残量画像を決定する。
【００９６】
つまり、ユーザは表示部に表示された電池残量画像を見れば、現在の使用中電池を認識することができる。よって、ユーザは電池残量画像を見るだけで、使用可能な電池と使用不可能な電池を特定することができる。
【００９７】
さらに、本発明の一態様に係る情報処理装置は、上記電池残量画像決定手段は、上記電池残量検出手段によって算出された上記残量値、上記使用電池特定手段によって特定された上記使用中の電池の情報、および上記電池残量積算手段によって算出された総残量値に応じて、上記第２の電池残量画像を決定してもよい。
【００９８】
上記構成によれば、電池残量検出手段によって算出された残量値、使用電池特定手段によって特定された使用中の電池の情報、および、電池残量積算手段によって算出された総残量値に応じて、第２の電池残量画像を決定する。
【００９９】
これにより、ユーザは電池残量画像を見るだけで、使用中電池の特定、使用中電池の残量、および電池の総残量を認識することができる。
【０１００】
なお、上記情報処理装置は、コンピュータによって実現してもよく、この場合には、コンピュータを上記各手段として動作させることにより、上記情報処理装置をコンピュータにて実現させる情報処理装置の制御プログラム、および、それを記録したコンピュータ読み取り可能な記録媒体も、本発明の範疇に入る。
【０１０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０２】
〔ソフトウェアによる実現例〕
最後に、携帯電話１の各ブロック、特に電池残量検出部１２１、使用電池特定部１２２、電池残量判定部１２３、表示形式決定部１２４、および、表示制御部１２５は、集積回路（ＩＣチップ）上に形成された論理回路によってハードウェア的に実現してもよいし、ＣＰＵ（Central Processing Unit）を用いてソフトウェア的に実現してもよい。
【０１０３】
後者の場合、携帯電話１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯電話１の制御プログラムのプログラムコード（実行形式プログラム、中間コードプログラム、ソースプログラム）をコンピュータで読み取り可能に記録した記録媒体を、上記携帯電話１に供給し、そのコンピュータ（またはＣＰＵやＭＰＵ）が記録媒体に記録されているプログラムコードを読み出し実行することによっても、達成可能である。
【０１０４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１０５】
また、携帯電話１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０６】
本発明は、電源としてバッテリを備える情報処理装置に適用することができる。特に、携帯電話、スマートフォン、タブレットＰＣ、ＰＤＡ（Personal Digital Assistant）などの情報処理装置に好適に用いることができる。
【符号の説明】
【０１０７】
１  携帯電話（情報処理装置）
１３  表示部
１１１ａ  電池
１１１ｂ  電池
１２１  電池残量検出部（電池残量検出手段）
１２２  使用電池特定部（使用電池特定手段）
１２３  電池残量判定部（電池残量判定手段）
１２４  表示形式決定部（電池残量画像決定手段）
１２５  表示制御部（表示制御手段）
２０１  電池残量画像
１２４１  電池残量積算部（電池残量積算手段）
２０１１  総残量領域（第２の領域）
２０１２  使用中電池残量領域（第１の領域）
【図１】
2014056360.tif 000003
【図２】
2014056360.tif 000004
【図３】
2014056360.tif 000005
【図４】
2014056360.tif 000006
【図５】
2014056360.tif 000007
【図６】
2014056360.tif 000008
【図７】
2014056360.tif 000009
【図８】
2014056360.tif 000010
【図９】
2014056360.tif 000011
【図１０】
2014056360.tif 000012